(57)【要約】      （修正有）【課題】立体感のある装飾性を兼ね備えた芳香材であって手軽に作成でき、しかも香料を十分に揮散させることができる芳香材を提供する。さらには、立体感のある装飾性を兼ね備えた芳香材であって常に香料を発散でき、しかも立体感のある装飾部材と揮散される香りと相俟って、精神的な満足感あるいは充足感などをもたらすことができる空間を創ることができる芳香材を手軽に作成する技術を提供する。【解決手段】絵及び／又は模様が付され、香料が保持された基材２を用意し、この基材に穴２１をあける。次いで、このあけられた穴を介して、磁石４１と固着可能な部材６と装飾片４とを磁石で固着すると、香料が常に揮散している状態でも装飾片は長い時間基材表面に配置・固着されている。【選択図】図２
2004321225.tif 000002
【特許請求の範囲】
【請求項１】
絵及び／又は模様が付され、香料が保持された基材にあけられた穴を介して、磁石に固着可能な部材と装飾片とを磁石で固着したことを特徴とする芳香材。
【請求項２】
基材が、香料を保持したシートを含む積層体であり、絵及び／又は模様を付し、１つあるいは複数の穴をあけた積層体である請求項１記載の芳香材。
【請求項３】
装飾片が香料で劣化されない接着剤層を介して磁石を備えている請求項１記載の芳香材。
【請求項４】
基材と、磁石に固着可能な部材との間にバリヤー層を設けた請求項１ないし３から選ばれる１項記載の芳香材。
【請求項５】
フレームあるいはケースで固定されている請求項１ないし４から選ばれる１項記載の芳香材。
【請求項６】
絵及び／又は模様が付され、香料が保持された基材にあけられた穴を介して、磁石に固着可能な部材と装飾片とを磁石を利用して固着させることを特徴とする芳香材の作成方法。
【請求項７】
密封されている、絵及び／又は模様が付され、香料が保持され、１つあるいは複数個の穴が設けられた基材、装飾片、磁石に固着可能な部材、ケースあるいはフレームから構成されたことを特徴とする芳香材作成キット。
【請求項８】
請求項５記載の芳香材からなる壁掛け具。
【請求項９】
請求項５記載の芳香材からなる卓上スタンド。
【発明の詳細な説明】
【０００１】
【発明の属する技術分野】
本発明は絵及び／又は模様を有する基材であって香料を常に揮散させることができる基材に装飾片を磁石により固着させた新規な立体感のある装飾性を兼ね備えた芳香材に関する。また、本発明は絵及び／又は模様を有する基材であって香料を揮散させることができる基材に装飾片を磁石により固着させ、ケースやフレームで固定させた新規な立体感のある装飾性を兼ね備えた芳香材に関する。詳しくは、立体感のある絵及び／又は模様を有する装飾部材と香料とからなることを特徴とする芳香材であって、装飾部材と揮散される香りと相俟って、精神的な満足感あるいは充足感などをもたらすことができる空間を創ることができる立体感のある装飾性を兼ね備えた芳香材に関する。さらには、それら芳香材を作成する芳香材キット、それら芳香材からなる壁飾り具、あるいは卓上スタンドに関する。
【従来の技術および発明が解決する課題】
【０００２】
絵や写真を香りと共に楽しむ考えは公知である。例えば、絵や写真をフレームに収め、フレーム内に置かれた香料発散部から香気を発散させることができる額が報告されている（特許文献１を酸参照）。この額を例えば壁に掛けておけば、常に香気が発散され、写真や絵などを眺めることにより、周囲の人に満足感を与えることができる。しかしながら、装飾的な観点からいえば、絵や写真は平面的であり、ボリューム感に乏しいという欠点がある。また、香料発散部は奥まった部分に設けられており、香料の発散される程度が十分とはいえないという問題点もある。
【０００３】
香料を発散させるという観点から見ると、例えば、芳香剤を吸収保持する芳香シートを適宜取り替え、補充交換することができる額縁が開発されている（特許文献２を参照）。確かに、この額縁は長い期間にわたって常に芳香を発散できるが、芳香剤の発散経路が制限されており、発散される芳香剤の程度は未だ十分といえることができない。
また、芳香剤を取り替え可能な容器に収め、徐々に芳香剤を揮散させる見廻り装飾具が開発されている（特許文献３を参照）。しかし、この装飾具でも芳香剤は一定の通路から徐々に揮散されるのであって、満足される程度まで改善されているとは言いがたい。
【０００４】
一方、立体的な装飾面を有する壁掛けを製造する技術が開示されている。たとえば、立体感にあふれ、ボリューム感を有し、香りを発散する陶磁器製の壁掛けが報告されている（特許文献４を参照）。確かにこの壁掛けは立体感にあふれ、ボリューム感を有するが、軽量化にするために複雑な操作が必要である上に、香りを発散させる点でも満足できる程十分とはいうことができない。そのうえ、この壁掛けは陶磁器製であることからも理解できるように、手軽な壁掛けではない。
香りが十分に発散され、写真や絵などの平面的なものをケースやフレームなどで固定した装飾性を兼ね備えた芳香材であって、しかも立体感を有する芳香材を手軽に得ることができる技術が求められている。
【０００５】
【特許文献１】特開平３−１１４４１３号公報
【特許文献２】特開２００１−５４４５２号公報
【特許文献３】特開２０００−１３９５２９号公報
【特許文献４】特開２００２−１４４７９６号公報
【０００６】
そこで、本発明では、立体感のある装飾性を兼ね備えた芳香材であって手軽に作成でき、しかも香料を十分に揮散させることができる芳香材を提供することが課題である。さらには、本発明は立体感のある装飾性を兼ね備えた芳香材であって常に香料を発散でき、しかも立体感のある装飾部材と揮散される香りと相俟って、精神的な満足感あるいは充足感などをもたらすことができる空間を創ることができる立体感のある装飾性を兼ね備えた芳香材を手軽に作成する技術を提供することが課題である。
また、香料が常に揮散されている環境の中で、立体感のある装飾性を兼ね備えた芳香材であって安定性に優れた芳香材を手軽に提供することができる技術を提供することが課題である。
【０００７】
【課題を解決するための手段】
本発明者らは、上記の課題を解決すべく鋭意研究を重ねた結果、表面に絵及び／又は模様が付された基材を選択し、この基材に香料を染み込ませると共にスワロフスキーなどに代表される立体的な装飾体を固定すると立体感のある装飾性を兼ね備えた芳香材であって常に香料を満足できる程度に十分発散することができる優れた芳香材となることを見出した。本発明者らは上記芳香材を作成すべく装飾片を両面テープで基材に固定することを試みたが、両面テープの粘着剤は香料の影響で劣化し、短時間の間に装飾片は基材表面から剥脱されてしまい、基材表面に装飾片を安定性よく固定することはできなかった。
そこで、香料の影響を受ける環境の中で装飾片を基材に固定する技術を本発明者等は研究し、いろいろ工夫を重ねた結果、ついに本発明に到達した。
【０００８】
すなわち、本発明により、請求項１の発明として、絵及び／又は模様が付され、香料が保持された基材にあけられた穴を介して、磁石に固着可能な部材と装飾片とを磁石で固着したことを特徴とする芳香材、
請求項２の発明として、上記基材が、香料を保持させたシートを含む積層体であり、絵及び／又は模様を付し、１つあるいは複数の穴をあけた積層体である上記芳香材、
請求項３の発明として、上記装飾片が香料で劣化されない接着剤層を介して磁石を備えている上記芳香材、
請求項４の発明として、上記基材と、上記磁石に固着可能な部材との間にバリヤー層が配置されている上記芳香材、
請求項５の発明として、フレームあるいはケースで固定されている上記芳香材、
請求項６の発明として、上記絵及び／又は模様が付され、香料が保持された基材にあけられた穴を介して、上記磁石に固着可能な部材と上記装飾片とを磁石を利用して固着させることを特徴とする芳香材の作成方法、
請求項７の発明として、密封されている、上記絵及び／又は模様が付され、香料が保持され、１つあるいは複数個の穴が設けられた基材、上記装飾片、上記磁石に固着可能な部材、上記ケースあるいはフレームから構成されたことを特徴とする芳香材作成キット、
請求項８および請求項９の発明として、上記芳香材からなる壁掛け具および卓上スタンド
が提供された。
【０００９】
【発明の実施の態様】
以下、本発明の芳香材を構成する各要素について具体的に説明する。
まず、芳香材を構成する基材について説明する。
上記基材の素材は自己支持性があり、絵及び／又は模様を付することができ、しかも香料を保持することができ、香料に劣化されない素材であればとくに限定されない。そのうえ除々に香料を揮散・放出することができ、簡単な操作で穴をあけることができる素材であることが好ましい。具体的には、プラスチックス、発泡体、紙、木材などの有機物が挙げられるが、ガラス、石膏などの無機物、金属などであって香料を吸収できる素材、あるいは香料を吸収できる層を備えた材料でもよい。
これら素材からなる、板、シート、フィルムを基材として使用するが、これらの積層体を使用してもよい。そのときには異なる素材を選び積層体としてもよい。基材の形状としては、多角形状、円状、楕円状などを例示できる。基材の大きさや厚みはとくに限定されないのであり、例えば横５〜３０ｃｍ縦５〜３０ｃｍの正方形や長方形の形状をとり、厚みが１〜１０ｍｍ程度である基材を使用しうる。
【００１０】
この基材の表面に絵及び／又は模様を付する。絵及び／又は模様は後に保持させる香料により好ましくない影響を受けない素材で基材表面に付されているのであればとくに限定されない。絵及び／又は模様を付する方法は公知の方法を適用すればよいのであって、絵具、インキなど公知の材料を用い、公知の方法を適用すればよい。絵及び／又は模様はテーマに即した内容、時期に即したもの、心に安らぎをあてることができるもの、イメージを膨らませることができるものなど、広い範囲のものから選択することができる。
【００１１】
この基材に香料を保持させる。より好ましくは基材に香料を染み込ませる。ここでいう香料は、香りあるいは芳香を揮散させることができる化合物あるいはそれらを混合した組成物であるかぎりとくに限定されない。なお、本発明では香料と芳香剤とは同じ意味を有するものとしている。使用可能な香料としては、公知の単品香料、精油、エキストラクトなどが挙げられるが、それらの中から選ばれた複数の混合物、所謂調合香料であってもよい。これらの香料には、消臭剤、安定剤など慣用の成分を適宜添加・配合してもよい。なお、香料含有絵具や香料含有インクを用いて、絵及び／又は模様に香料を存在させてもよい。
基材に上記香料を保持させる手段は公知の手段を採用すればよい。具体的には、香料を基材表面にはけ塗りする方法、香料を基材表面に流延する方法、香料を基材表面にスプレーする方法などを挙げることができる。
この基材に１つあるいは複数個の穴をあけておくことが好ましい。この穴は磁石挿入用の穴であり、後述する装飾片を上記基材表面に配置するときに重要な役割をはたすことになる。また、ときには香料揮散用の穴をあけておいてもよい。穴をあける方法は公知の方法を適用すればよい。
【００１２】
なお、香料を保持させた基材を一層として含む積層体を本発明の芳香材の基材としてもよい。積層体は香料を保持させた基材と香料を透過できる層から構成されることが好ましい。香料を透過できる層は、香料を透過できる材料、あるいは香料を透過できない材料であって香料を透過できるような手段、たとえば香料揮散用穴をあけるなどの手段を施した材料を用いて形成させることができる。この積層体の表面に絵及び／又は模様を付することが好ましい。
香料を透過できる層は、連続発泡体、香料揮散用穴が設けられたガラス、樹脂シート、紙などから形成させることが好適である。
【００１３】
上記基材に装飾片を配置・固着することが本発明のいくつかある特徴の中の１つである
本発明で言う装飾片は立体的な形状を有する小片、すなわち、三次元的に立体的な形状を有する小片であり、人が見たときに好ましい感じあるいは美しい感じをもたらせるものが好ましい。また、彩色が施されているものあるいは素材独自の特徴が目立つ小片が好ましい。装飾片の１つあるいは複数個を上記基材表面上に配置・固着させることにより、基材表面に凸部を与え、立体感のある装飾部材を形成することができ、装飾性を兼ね備えた芳香材を作成することができるのである。
好ましい装飾片は装飾体と磁石と両者を固着する接着剤層とから構成される。
まず、上記装飾体について説明する。この装飾体は例えばスワロフスキーのように、彩色が施され三次元的な広がりをもつ小片であって美的な美しさを感じられる小片であり、樹脂、クリスタルガラス、陶磁器、貴石や半貴石、トルコ石、ルピーなどを原料として、公知の製造方法により得られる美しいと感じられる小片である。また、七宝焼きなどの伝統工芸技術により得られる小片なども本発明の小片となりうる。なお樹木、金属などから製造することも可能である。
この装飾体の大きさはとくに限定されないのであり、例えば約５ｍｍ〜３ｃｍ程度の大きさ、１ｍｍないし１ｃｍ程度の厚みを持つ。
【００１４】
好ましい装飾体としては、動物、植物、人の創作（創造）物などを題材にとり、形など適宜モデファイし、動作や色を変え、工夫して得られるキャラクターやスワロフスキーを挙げることができる。
装飾体の題材の具体例としては、てんとう虫、あざらし、アシカ、かえる、うさぎ、みつばち、ねこ、いぬ、パンダ、しろくま、ライオン、きつね、カメ、イルカ、金魚、熱帯魚などの動物、さくら、チューリップ、バラ、モモの花、コスモス、もみじなどの植物、星、月、太陽、雪の結晶などの自然物（非生物）、バイオリン、などの楽器、キューピット、ハート型に羽がついているものなどの創作物など、およびこれらの組合せが挙げられる。
【００１５】
好ましい装飾体の例として、飛びはねているうさぎ、手に蜜入れを持ちながら飛んでいるみつばち、泳いでいるイルカ、泳いでいる金魚、葉の後ろに隠れ、首と手足がみえる蛙、キューピット、羽がついているハート型などが挙げられる。
【００１６】
上記装飾体には磁石を備えさせることが好ましい。すなわち本発明では磁石を利用して基材に装飾体あるいは装飾片を配置・固着させることが特徴の１つである。
本発明では磁化された磁性材であって外部の磁界を除去したときにも磁化状態が保持される材料であればどのような材料でも使用可能である。
好ましい磁石として、希土類磁石、アルニコ磁石、ボンド磁石、フェライト磁石などが挙げられる。この磁石の形状はとくに限定されないが、円柱状、角柱状が好ましいが、円状平板あるいは円状シートであってもよい。磁石の大きさや長さは、基材にあけあられた穴に挿入することからみて、基材の穴の大きさと同じかそれよりも小さく、基材の厚みと同じ長さか、それより長いことが好ましい。なお、基材の厚みよりも短くともよいが、その場合には別の円柱状、角柱状の磁石をさらに利用すればよい。
【００１７】
本発明では磁石を装飾体に接着剤層を利用して予め固着しておくこと、すなわち装飾片としておくことが好ましい。この場合、装飾片の基材への取り外しなどの操作に耐えられるように装飾体が磁石と強固に固着可能であることが必要であり、また揮散される香料にも耐えることが必要である。装飾体に磁石を固着する代表的な方法として、構造用接着剤、無溶剤型接着剤、硬化性接着剤などから選ばれる接着剤を使用することが挙げられる。とくに反応型アクリル系接着剤、ポリウレタン系接着剤、エポキシ系接着剤、シリコーン系接着剤、フェノール系接着剤などを用いることが好ましいが、その中でも反応型アクリル系接着剤やエポキシ系接着剤を使用することがより好ましい。
これらの接着剤を用いて装飾体と磁石とを接着する手法としては公知の方法を適用すればよい。とくに接着面を表面処理などにより清浄にし、必要に応じてプライマー層を設けるなどの手段を講じることが好ましい。
【００１８】
かくして製造された装飾片を上記基材にあけられた穴を介して磁石と固着可能な部材に固着させることが本発明の特徴の１つである。すなわち、上記基材にあけられた穴に磁石を挿入し、磁石と固着可能な部材に装飾片を固着させることが本発明の特徴の１つである。これにより、装飾品は香料が常に十分揮散されている状況の基材表面に安定して、配置されることが可能となったのである。
磁石に固着可能な部材は磁石に固着できる材料から製造される、シート、フィルムが好ましい。磁石に固着される好ましい材料としては、鉄系材料が挙げられる。具体的には、亜鉛引き鋼板、有機層コーティング鋼板、メッキ鋼板などが挙げられるが、鉄系材料粉末混入樹脂シート、鉄系材料粉末ラバーなどを用いてもよい。また、任意の成分から得られるシートやフィルム表面に上記磁石に固着できる材料からなるシートやフィルムなどを前面にあるいは部分的に貼り付けておいてもよい。
磁石に固着可能な部材の大きさは上記基材の大きさと同じであることが好ましいが、異なっていてもよい。磁石に固着可能な部材の厚さはとくに限定されないが、薄い方が好ましい。
【００１９】
本発明では、該磁石に固着可能な部材と基材との間にバリヤー層を設けておいてもよい。バリヤー層は磁石に固着可能な部材が香料の影響を受け、劣化することを防止することが１つの大きな役割である。このバリヤー層は香料の影響を受けない素材から形成されることが必要である。好適な素材としては、ポリエチレン、ポリプロピレンなどのポリオレフィン、ポリ塩化ビニル、ポリエステル、ポリアミド、ポリカーボネートなどが挙げられる。
【００２０】
本発明では、上記基材にあけられた穴に磁石を挿入して、上記磁石に固着できる材料および装飾片を磁石により固定して芳香材を製造することができる。また、磁石が予め固着されていない装飾体を上記基材表面に配置・固定させるときには、基材にあけられた穴に円柱状や角柱状の磁石を配置し、上記装飾体を磁石に固着可能な部材とを固着させることもできる。
さらにケースあるいはフレームなどを用いてそれぞれの材料がきれいに重なるようにすることもできる。
用いられるケースあるいはフレームとしては上記各要素（部材）をきれいに揃え、ばらばらにならにような機能を有し、しかも基材から香料が十分に揮散できるような構造を有する限りどのような形状であってもよい。
ケースあるいはフレームの素材としてはとくに限定されないが、成形性のよい樹脂が好ましい。具体的には、ポリエチレン、ポリプロピレン、ポリ塩化ビニル、ポリアクリレート、ポリエステル、ポリカーボネート、ポリアミドなどが挙げられる。
さらに装飾されたケースあるいはフレームでもよい。
【００２１】
上記各部材が製造された後の芳香材の作成方法は次のとおりであるが、この方法に何ら限定されない。
磁石に固着可能な部材の上に基材を重ね、必要に応じて他のシートを配置した後、ケースやフレームでそれ部材などを固定する。次いでその基材の表面に装飾片を基材にあけられた穴に沿って配置する。その穴の形状は磁石の形状とほぼ同じ形状にしておくと、装飾片に設けられた磁石が磁石を固定する材料と固着されるので、装飾片が移動できないので有利である。なお、穴の形状に合わせた磁石片を基材に設けられた穴に配置しておいてもよい。また、装飾体が磁石に固着可能な素材で創られているならば、装飾体に磁石を固着する操作が省略できることになる。
【００２２】
本発明においては、上記各要素（部材）から芳香材を作成し、密封した上で販売することができる。購入者は密閉された芳香材を取り出し、使用法を自由に選択し、装飾性を兼ね備えた芳香材を楽しむことができる。
また、上記各要素（部材）の中の一部、例えば香料が保持された基材のみ、あるいはその基材と他の部材とを密封し、その他の部材と共に芳香材作成用キットとして販売することもできる。さらには、それら芳香材作成用キットの基材の絵及び／又は模様や香りの種類を、例えば月毎など一定期間毎に変え、販売することも可能である。購入者は密閉された基材などを取り出し、芳香材を自ら作成し、次いで完成された芳香材の使用法を自由に選択し、装飾性を兼ね備えた芳香材を作り、楽しむことができる。
本発明の芳香材は、絵及び／又は模様が付され、香料が保持され、穴があけられた基材と、その基材の絵及び／又は模様が付された面に配置・固着された装飾片と、基材の装飾片が配置された反対側に配置された磁石に固着可能な部材とから構成される。その際には、磁石に固着可能な部材と絵及び／又は模様が付され、香料が保持された基材とを重ね、基材にあけられた穴に装飾片表面の磁石を挿入することによって、基材を介して磁石に固着可能な部材と装飾片とを強固に固着することを可能とした。
【００２３】
かくして作成された芳香材は香りが常にしかも十分な量揮散されるとともに絵や模様が付され、キャラクターやスワロフスキーなどが用いられているのであるから、インテリア用、装飾用などとして利用される。すなわち、インテリア置物、インテリア装飾品などに利用可能であり、代表的には壁掛け具、卓上スタンドなどとして利用される。
本発明の芳香材を壁掛け具あるいは卓上スタンドとして使用すると、芳香材から揮散される香料および装飾片や芳香材に描かれている絵及び／又は模様と相俟って、心に安らぎや満足感などを与えることができ、精神的な充足感をもたらすことができる。
また、キャラクターやスワロフスキーなど磁石が接着されている装飾片は芳香材として用いる以外にも、ペンダントやアクセサリーとして利用することができる。
【００２４】
壁掛け具として利用するときには、公知の手段を適用すればよい。具体的には芳香材に紐を通す穴を設ければよい。また、ケースやフレームに引っ掛け具を備えてもよいし、紐を通す穴をあけておいてもよい。
卓上スタンドとして利用するときも同様であって、例えばケースやフレームにスタンドとして利用できるよう加工処理を施しておけばよい。また、スタンドを別に購入し、そのスタンドを利用して芳香材を棚や机の上に置くことができる。
【００２５】
装飾片は芳香材から取り出し、独自の利用面がある。
すなわち、本発明の芳香材では必須の装飾片は自由に取り外しができるのであるから、ペンダントなどのアクセサリーとしても使用できるし、磁石が固着されている装飾片であるならば冷蔵庫やホワイトボードなどに固着させて楽しむことも可能である。
【００２６】
【実施例】
以下、本発明の芳香材を図に基づいて具体的に説明する。
図１は、本発明の代表的な芳香材１の斜視図であり、図２は上記芳香材の断面図（図１のＡＡ線）であリ、図３は装飾片を除いた上記芳香材の各要素を説明するための概念図である。
紙製シート（１４ｃｍｘ１４ｃｍｘ２ｍｍ）表面に顔料・インクで絵及び模様３を描き、乾燥させる。このシートに直径が約１０ｍｍの穴２１を装飾片が配置・固定される個所にパンチあけし、次いで予め調製された調合香料溶液を吹き付け、香料が揮散される基材２を得た。
一方、イルカをモデフファイし、彩色されたクリスタルガラス製の装飾体４（最大長さ：３ｃｍ、厚み：２ｍｍ）の裏面に、常法によりエポキシ系接着剤４２（ＡＢ２Ｔ：雄港企業有限公司製）を塗布し、円柱状（直径：９ｍｍ、長さ：２ｍｍ）ネオジウム（Ｎｄ−Ｆｅ−Ｂ系）磁石４１を接着剤塗布面に重ね、室温下１２時間保持し、磁石４１が強固に接着された、クリスタルガラス製の装飾片を得た。
磁石４１に固着可能な部材６としての亜鉛引鋼板（１４ｃｍｘ１４ｃｍｘ１ｍｍ）の上に上記基材２を重ねた。前面に大きな窓が設けられ、掛用紐を通すことができる壁掛け部８を備え、上部の開放部５１から内容物の挿入および取り出し自由なフレーム５内に部材６と基材２とを挿入した。次に基材２にあけられた穴２１に装飾片の磁石を挿入し、装飾片が配置・固着され、香気をフレームの前面の窓から十分に揮散される芳香材１を得た。
【００２７】
図４は装飾片の斜視図、図５は上記装飾片の断面図である。装飾片は、葉に隠れ顔と手足が見られる蛙をモデフファイし、彩色されたクリスタルガラス製の装飾体４（最大長さ：３ｃｍ、厚み：２ｍｍ）の表面に、円柱状（直径：５ｍｍ、長さ：２ｍｍ）ネオジウム（Ｎｄ−Ｆｅ−Ｂ系）磁石４１が接着剤層（エポキシ系接着剤：ＡＢ２Ｔ雄港企業有限公司製）４２を介して接着され得られた。
図６は装飾片９の磁石４１側からみた装飾片の斜視図である。
磁石４１は装飾体４と接着剤層４２を介して強固に接着されている。
【００２８】
図７は、本発明の芳香材１であって、上記とは異なる芳香材１の斜視図であり、
図８はその芳香材の断面図である。
紙製シート（１６ｃｍｘ１６ｃｍｘ２ｍｍ）表面に顔料で絵及び模様（図示せず）を描き、乾燥させた後、装飾片を配置・固定する部位に直径が約１０ｍｍの穴２１をパンチあけする。次いで予め調製された調合香料溶液を吹き付け、基材２を得た。
一方、桜の花をモデフファイし、彩色されたクリスタルガラス製の装飾体４（最大長さ：１ｃｍ、厚み：２ｍｍ）の裏面に、常法によりエポキシ系接着剤４２（ＡＡＡ浙江黄岩光華交粘剤厰製）を塗布し、円柱状（直径：１０ｍｍ、長さ：２ｍｍ）フェライト磁石４１を接着剤塗布面に重ね、室温下１２時間保持し、強固に接着された装飾片を得た。
磁石に固着可能な部材６としての亜鉛引鋼板（１６ｃｍｘ１６ｃｍｘ２ｍｍ）の上に上記基材２を重ね、基材２にあけられた穴２１に装飾片の磁石を挿入し、装飾片が配置・固着し（図７には一部の装飾片しか示していない）、香気が常に十分発散されることができる芳香材１を得た。
この例では、基材２を介して装飾片と磁石に固着可能な部材６とが穴２１に挿入された磁石にて強固に固着されているので、基材２、部材６、装飾片がばらばらにならず、互いに固定されているので、ケースあるいはフレームが必須ではない。
【００２９】
【発明の効果】
本発明により、視覚の点からみて立体感のある装飾部材であり、しかも揮散される香りと相俟って、心に安らぎを与えるなど、精神的な充足感や満足感を与えることができる芳香材を簡単な方法で作成し、提供することができた。この芳香材は香りを十分に揮散させることができ、しかも立体感のある装飾的な面を兼ね備えた芳香材であるから、この芳香材を壁飾り具あるいは卓上スタンドなどとすると、精神的な充足感や満足感を与えることができる癒しの空間を作り上げる事ができた。さらにこの香り中に消臭効果を持たせる薬剤を含ませれば、環境の改善にも役立つという効果もある。また、本発明の芳香材は置物などのインテリア製品としても有用である。
【図面の簡単な説明】
【図１】図１は本発明の芳香剤の斜視図である。
【図２】図２は上記芳香材の線ＡＡでの断面図である。
【図３】図３は装飾片を除いた上記芳香材の各要素を示す概念図である。
【図４】図４は本発明の装飾片の一例の平面図である。
【図５】図５は上記芳香材の線ＡＡでの断面図である。
【図６】図６は本発明の装飾片の磁石側からみた斜視図である。
【図７】図７は本発明の異なる芳香剤材の斜視図である。
【図８】図８は上記芳香材の断面図である。
【符号の説明】
２  基材
２１  穴
３  絵及び／又は模様
４  装飾体
４１  磁石
４２  接着剤
５  フレーム
５１  内容物の挿入および取り出し部
６  磁石に固着可能な部材
８  壁掛け用紐通し部
【図１】
2004321225.tif 000003
【図２】
2004321225.tif 000004
【図３】
2004321225.tif 000005
【図４】
2004321225.tif 000006
【図５】
2004321225.tif 000007
【図６】
2004321225.tif 000008
【図７】
2004321225.tif 000009
【図８】
2004321225.tif 000010